【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
生体材料を保護するための方法であって、該方法は、ＣＤ４７もしくはそのＩｇドメインを、該生体材料の表面に結合する工程を包含し、ここで該ＣＤ４７もしくはそのＩｇドメインは、該生体材料への免疫細胞媒介性損傷を阻害もしくは低下させる、方法。
【請求項２】
前記生体材料は、ポリマーを含む、請求項１に記載の方法。
【請求項３】
前記ポリマーは、ポリプロピレン、ポリエチレン、ポリスチレン、ポリメチルメタクリレート、ポリウレタン、ポリフルオロテトラエチレン、ポリビニル、ポリビニルクロリドまたはこれらの混合物である、請求項２に記載の方法。
【請求項４】
前記生体材料は、インプラントの表面上に存在する、請求項１に記載の方法。
【請求項５】
前記生体材料は、医療用デバイスの表面上に存在する、請求項１に記載の方法。
【請求項６】
前記生体材料は、チューブの表面上に存在する、請求項１に記載の方法。
【請求項７】
前記生体材料は、治療剤送達ビヒクルの表面上に存在する、請求項１に記載の方法。
【請求項８】
前記インプラントは、前記生体材料を含むか、または該生体材料でコーティングされる、請求項４に記載の方法。
【請求項９】
前記医療用デバイスは、前記生体材料を含むか、または該生体材料でコーティングされる、請求項５に記載の方法。
【請求項１０】
前記チューブは、前記生体材料を含むか、または該生体材料でコーティングされる、請求項６に記載の方法。
【請求項１１】
前記治療剤送達ビヒクルは、前記生体材料を含むか、または該生体材料でコーティングされる、請求項７に記載の方法。
【請求項１２】
前記ＣＤ４７もしくはそのＩｇドメインは、前記生体材料への免疫細胞媒介性損傷をインビトロで阻害もしくは低下させる、請求項１に記載の方法。
【請求項１３】
前記ＣＤ４７もしくはそのＩｇドメインは、前記生体材料への免疫細胞媒介性損傷をインビボで阻害もしくは低下させる、請求項１に記載の方法。
【請求項１４】
前記生体材料の表面は、少なくとも１種の連結分子を含む、請求項１に記載の方法。
【請求項１５】
前記連結分子は、アビジン、フォレート、葉酸レセプターであるか、またはチオールを含む、請求項１４に記載の方法。
【請求項１６】
前記ＣＤ４７もしくはそのＩｇドメインは、連結分子と複合体化され、該連結分子は、ＳＰＤＰ、ＳＭＣＣ、フォレート、葉酸レセプター、またはビオチンである、請求項１に記載の方法。
【請求項１７】
前記免疫細胞は、ＳＩＲＰ−αを発現する、請求項１に記載の方法。
【請求項１８】
前記免疫細胞は、単球もしくはマクロファージである、請求項１に記載の方法。
【請求項１９】
前記損傷は、酸化的損傷もしくは炎症性損傷である、請求項１に記載の方法。
【請求項２０】
前記インプラントは、ペースメーカー導線である、請求項４に記載の方法。
【請求項２１】
前記チューブは、心肺バイパスの一部である、請求項６に記載の方法。
【請求項２２】
生体材料を保護するためのキットであって、該キットは、ＣＤ４７もしくはそのＩｇドメイン、および請求項１に記載の方法に従って該キットを使用するための説明書を含む、キット。
【請求項２３】
前記生体材料の表面に結合され得る連結分子をさらに含む、請求項２２に記載のキット。
【請求項２４】
前記ＣＤ４７もしくはそのＩｇドメインに結合され得る連結分子をさらに含み、該連結分子は、アビジン、フォレート、葉酸レセプター、ビオチン、ＳＰＤＰもしくはＳＭＣＣである、請求項２２および２３に記載のキット。
【請求項２５】
前記ＣＤ４７もしくはそのＩｇドメインは、ビオチン、フォレート、ＳＰＤＰもしくはＳＭＣＣと複合体化される、請求項２２に記載のキット。
【請求項２６】
生体材料への免疫細胞結合を阻害もしくは低下させるための方法であって、該方法は、ＣＤ４７もしくはそのＩｇドメインを該生体材料の表面に結合させる工程を包含し、ここで該ＣＤ４７もしくはそのＩｇドメインは、該生体材料への免疫細胞結合を阻害もしくは低下させる、方法。
【請求項２７】
前記生体材料は、ポリマーを含む、請求項２６に記載の方法。
【請求項２８】
前記ポリマーは、ポリウレタン、またはポリビニルクロリドである、請求項２７に記載の方法。
【請求項２９】
前記免疫細胞は、ＳＩＲＰ−αを発現している、請求項２６に記載の方法。
【請求項３０】
前記免疫細胞は、単球もしくはマクロファージである、請求項２６に記載の方法。
【請求項３１】
前記免疫細胞は、多形核白血球である、請求項１に記載の方法。
【請求項３２】
前記多形核白血球は、好中球である、請求項３１に記載の方法。
【請求項３３】
前記免疫細胞は、多形核白血球である、請求項２６に記載の方法。
【請求項３４】
前記多形核白血球は、好中球である、請求項３３に記載の方法。
【請求項３５】
生体材料であって、ＣＤ４７もしくはそのＩｇドメインが該生体材料の表面に結合された、生体材料。
【請求項３６】
前記生体材料の表面に少なくとも１種の連結分子をさらに含む、請求項３５に記載の生体材料。
【請求項３７】
前記少なくとも１種の連結分子は、前記表面への前記ＣＤ４７もしくはそのＩｇドメインの結合を媒介する、請求項３６に記載の生体材料。
【手続補正２】
【補正対象書類名】明細書
【補正対象項目名】００１２
【補正方法】変更
【補正の内容】
【００１２】
本発明はまた、生体材料を保護するためのキットを提供する。一般に、上記キットは、ＣＤ４７もしくはそのＩｇドメイン、ならびに生体材料を保護するための方法および／または生体材料への免疫細胞の結合を阻害もしくは低下させるための方法において上記キットを使用するための説明書を含む。上記キットは、上記生体材料の表面もしくはＣＤ４７もしくはそのＩｇドメインに結合され得る１種以上の連結分子を含み得る。連結分子の例としては、アビジン、ビオチン、チオール、フォレート、葉酸レセプター、ＳＰＤＰ、およびＳＭＣＣが挙げられる。上記ＣＤ４７もしくはそのＩｇドメインは、連結分子と予め複合体化され得る。
本発明は、例えば以下の項目を提供する。
（項目１）
生体材料を保護するための方法であって、該方法は、ＣＤ４７もしくはそのＩｇドメインを、該生体材料の表面に結合する工程を包含し、ここで該ＣＤ４７もしくはそのＩｇドメインは、該生体材料への免疫細胞媒介性損傷を阻害もしくは低下させる、方法。
（項目２）
前記生体材料は、ポリマーを含む、項目１に記載の方法。
（項目３）
前記ポリマーは、ポリプロピレン、ポリエチレン、ポリスチレン、ポリメチルメタクリレート、ポリウレタン、ポリフルオロテトラエチレン、もしくはポリビニル、またはこれらの混合物である、項目２に記載の方法。
（項目４）
前記ポリマーは、ポリウレタンである、項目２に記載の方法。
（項目５）
前記ポリマーは、ポリビニルクロリドである、項目２に記載の方法。
（項目６）
前記生体材料は、インプラントの表面に存在する、項目１に記載の方法。
（項目７）
前記生体材料は、医療用デバイスの表面に存在する、項目１に記載の方法。
（項目８）
前記生体材料は、チューブの表面に存在する、項目１に記載の方法。
（項目９）
前記生体材料は、治療剤送達ビヒクルの表面上に存在する、項目１に記載の方法。
（項目１０）
前記インプラントは、前記生体材料を含む、項目６に記載の方法。
（項目１１）
前記インプラントは、前記生体材料でコーティングされている、項目６に記載の方法。
（項目１２）
前記医療用デバイスは、前記生体材料を含む、項目７に記載の方法。
（項目１３）
前記医療用デバイスは、前記生体材料でコーティングされている、項目７に記載の方法。
（項目１４）
前記チューブは、前記生体材料を含む、項目８に記載の方法。
（項目１５）
前記チューブは、前記生体材料でコーティングされている、項目８に記載の方法。
（項目１６）
前記治療剤送達ビヒクルは、前記生体材料を含む、項目９に記載の方法。
（項目１７）
前記治療剤送達ビヒクルは、前記生体材料でコーティングされている、項目９に記載の方法。
（項目１８）
前記ＣＤ４７もしくはそのＩｇドメインは、前記生体材料への免疫細胞媒介性損傷をインビトロで阻害もしくは低下させる、項目１に記載の方法。
（項目１９）
前記ＣＤ４７もしくはそのＩｇドメインは、前記生体材料への免疫細胞媒介性損傷をインビボで阻害もしくは低下させる、項目１に記載の方法。
（項目２０）
前記生体材料の表面は、少なくとも１種の連結分子を含む、項目１に記載の方法。
（項目２１）
前記連結分子は、アビジンである、項目２０に記載の方法。
（項目２２）
前記連結分子は、チオールを含む、項目２０に記載の方法。
（項目２３）
前記連結分子は、フォレートである、項目２０に記載の方法。
（項目２４）
前記連結分子は、葉酸レセプターである、項目２０に記載の方法。
（項目２５）
前記ＣＤ４７もしくはそのＩｇドメインは、連結分子と複合体化される、項目１に記載の方法。
（項目２６）
前記連結分子は、ＳＰＤＰもしくはＳＭＣＣである、項目２５に記載の方法。
（項目２７）
前記連結分子は、フォレートである、項目２５に記載の方法。
（項目２８）
前記連結分子は、葉酸レセプターである、項目２５に記載の方法。
（項目２９）
前記連結分子は、ビオチンである、項目１に記載の方法。
（項目３０）
前記免疫細胞は、ＳＩＲＰ−αを発現する、項目１に記載の方法。
（項目３１）
前記免疫細胞は、単球もしくはマクロファージである、項目１に記載の方法。
（項目３２）
前記損傷は、酸化的損傷もしくは炎症性損傷である、項目１に記載の方法。
（項目３３）
前記インプラントは、ペースメーカー導線である、項目６に記載の方法。
（項目３４）
前記チューブは、心肺バイパスの一部である、項目８に記載の方法。
（項目３５）
生体材料を保護するためのキットであって、該キットは、ＣＤ４７もしくはそのＩｇドメイン、および項目１に記載の方法に従って該キットを使用するための説明書を含む、キット。
（項目３６）
前記生体材料の表面に結合され得る連結分子をさらに含む、項目３５に記載のキット。
（項目３７）
前記ＣＤ４７もしくはそのＩｇドメインに結合され得る連結分子をさらに含む、項目３５に記載のキット。
（項目３８）
前記連結分子は、アビジンである、項目３６に記載のキット。
（項目３９）
前記連結分子は、葉酸レセプターである、項目３６に記載のキット。
（項目４０）
前記連結分子は、ビオチンである、項目３７に記載のキット。
（項目４１）
前記連結分子は、ＳＰＤＰもしくはＳＭＣＣである、項目３８に記載のキット。
（項目４２）
前記連結分子は、フォレートである、項目３８に記載のキット。
（項目４３）
前記ＣＤ４７もしくはそのＩｇドメインは、ＳＰＤＰもしくはＳＭＣＣと複合体化される、項目３５に記載のキット。
（項目４４）
前記ＣＤ４７もしくはそのＩｇドメインは、ビオチンと複合体化される、項目３５に記載のキット。
（項目４５）
前記ＣＤ４７もしくはそのＩｇドメインは、フォレートと複合体化される、項目３５に記載のキット。
（項目４６）
生体材料への免疫細胞結合を阻害もしくは低下させるための方法であって、該方法は、ＣＤ４７もしくはそのＩｇドメインを該生体材料の表面に結合させる工程を包含し、ここで該ＣＤ４７もしくはそのＩｇドメインは、該生体材料への免疫細胞結合を阻害もしくは低下させる、方法。
（項目４７）
前記生体材料は、ポリマーを含む、項目４６に記載の方法。
（項目４８）
前記ポリマーは、ポリウレタンである、項目４７に記載の方法。
（項目４９）
前記ポリマーは、ポリビニルクロリドである、項目４７に記載の方法。
（項目５０）
前記免疫細胞は、ＳＩＲＰ−αを発現している、項目４６に記載の方法。
（項目５１）
前記免疫細胞は、単球もしくはマクロファージである、項目４６に記載の方法。
（項目５２）
前記免疫細胞は、多形核白血球である、項目１に記載の方法。
（項目５３）
前記多形核白血球は、好中球である、項目５２に記載の方法。
（項目５４）
前記免疫細胞は、多形核白血球である、項目４６に記載の方法。
（項目５５）
前記多形核白血球は、好中球である、項目５４に記載の方法。
（項目５６）
生体材料であって、ＣＤ４７もしくはそのＩｇドメインが該生体材料の表面に結合された、生体材料。
（項目５７）
前記生体材料の表面に少なくとも１種の連結分子をさらに含む、項目５６に記載の生体材料。
（項目５８）
前記少なくとも１種の連結分子は、前記表面への前記ＣＤ４７もしくはそのＩｇドメインの結合を媒介する、項目５７に記載の生体材料。